(57)【要約】【課題】映像信号を取り扱うシステムにあって、定期的に誤差補正するための情報を入力する必要がなく、容易にかつ高精度な時間を発生し得る時刻演算装置及び時刻演算方法を提供する。【解決手段】時刻発生装置１１において、映像同期発生器１９から供給される映像同期信号のフレーム周期（１００１／６００００ｍＳ）を分子値１００１及び分母値６００００に分け、それぞれ整数でクローズした領域で局内時計１７からの時刻設定信号による初期時刻に分子値１００１を加算し、この加算値Ｍと分母値６００００とを比較することで、真分数であるか否かを判定し、真分数つまりＭが６００００より小さい場合に、Ｍ／６００００を求め、時刻発生に必要な最小桁を乗算した後に時刻出力するようにした。【選択図】      図１
2005274162.tif 000002
【特許請求の範囲】
【請求項１】
外部から周波数Ａを有し初期時刻を設定するために必要な時刻設定信号及びこの時刻設定信号に比して１／Ｂ倍となる周波数Ａ／Ｂを有する同期信号を入力し、前記時刻設定信号及び前記同期信号に応じた時刻信号を出力する時刻演算装置であって、
同期信号が入力されたとき、時刻設定信号による設定時刻に前記同期信号の周期Ｂ／Ａの分子値Ｂを加算して加算値Ｍを求める加算手段と、
この加算値Ｍと前記同期信号の周期の分母値Ａとを比較し、この比較結果に基づいてＭ／Ａを求め、このＭ／Ａに対し時刻発生に必要な最小桁を乗算し、この乗算結果を前記時刻信号として出力する時刻信号出力手段とを具備したことを特徴とする時刻演算装置。
【請求項２】
前記時刻信号出力手段は、前記比較結果からＭがＡより小さい場合に、Ｍ／Ａを求めることを特徴とする請求項１記載の時刻演算装置。
【請求項３】
前記時刻信号出力手段は、前記比較結果からＭがＡ以上の場合に、ＭからＡを減算することで整数の桁上がり処理を行なうインクリメント処理手段を備え、このインクリメント処理手段による処理が終了した後に、前記比較結果からＭがＡより小さい場合に、Ｍ／Ａを求めることを特徴とする請求項１記載の時刻演算装置。
【請求項４】
番組編成時刻に基づき、デジタル放送番組の映像信号を処理するデジタル放送番組処理装置に用いられ、このデジタル放送番組処理装置の映像処理に供されることを特徴とする請求項１記載の時刻演算装置。
【請求項５】
外部から周波数Ａを有し初期時刻を設定するために必要な時刻設定信号及びこの時刻設定信号に比して１／Ｂ倍となる周波数Ａ／Ｂを有する同期信号を入力し、前記時刻設定信号及び前記同期信号に応じた時刻信号を出力する時刻演算方法であって、
同期信号が入力されたとき、時刻設定信号による設定時刻に前記同期信号の周期Ｂ／Ａの分子値Ｂを加算して加算値Ｍを求め、
この加算値Ｍと前記同期信号の周期の分母値Ａとを比較し、この比較結果に基づいてＭ／Ａを求め、このＭ／Ａに対し時刻発生に必要な最小桁を乗算し、この乗算結果を前記時刻信号として出力することを特徴とする時刻演算方法。
【発明の詳細な説明】
【技術分野】
【０００１】
この発明は、例えば映像を取り扱うシステムに適用され、特に映像処理に必要な時刻を演算する時刻演算装置及び時刻演算方法に関する。
【背景技術】
【０００２】
近年、地上波放送システムにおいて、デジタル放送が開始されている。このようなデジタル放送システムにあっては、受信機側で番組編成時刻に放送内容が正しく再生されるように、放送局側でデジタル放送番組の映像信号を処理する際に、処理時刻を映像信号のフレーム周期に合わせる必要がある。
【０００３】
また、上記デジタル放送では、例えば親局及び遠隔局を中継回線により結ぶネット受信放送システムの遠隔局において、親局の映像同期と遠隔局の映像同期とを合わせる必要がある。  
そこで、放送局では、映像信号のフレーム周期に合わせた処理時刻を発生する時刻演算装置が提案されている（例えば、特許文献１）。
【０００４】
【特許文献１】特開２００４−０３２６３０号公報。
【発明の開示】
【発明が解決しようとする課題】
【０００５】
ところで、上記時刻演算装置では、親時計より初期時刻を合わせるための時刻設定信号、基準タイミングとなる映像同期信号（６０／１．００１Ｈｚ）を入力し、次のような方法で時刻を発生していた。  
秒パルス入力がある場合、パルス毎に秒単位の時刻発生  
秒パルス入力がない場合、６０／１．００１を６０として、６０カウントで１秒とする秒単位の時刻発生  
１６．６８３３３ｍＳを１周期とする時間加算によるミリ秒単位の時刻発生
【０００６】
しかしながら、これらの方法では定期的に誤差補正しなければ、時刻がずれてしまうという問題があった。また、秒パルスを入力する構成のため、システムの複雑化及び時刻演算装置の処理負荷の増大を招くという問題もあった。
そこで、この発明の目的は、例えば映像信号を取り扱うシステムにあって、定期的に誤差補正するための情報を入力する必要がなく、容易にかつ高精度な時間を発生し得る時刻演算装置及び時刻演算方法を提供することにある。
【課題を解決するための手段】
【０００７】
この発明は、上記目的を達成するために、以下のように構成される。  
外部から周波数Ａを有し初期時刻を設定するために必要な時刻設定信号及びこの時刻設定信号に比して１／Ｂ倍となる周波数Ａ／Ｂを有する同期信号を入力し、時刻設定信号及び同期信号に応じた時刻信号を出力する時刻演算装置であって、同期信号が入力されたとき、時刻設定信号による設定時刻に同期信号の周期Ｂ／Ａの分子値Ｂを加算して加算値Ｍを求める加算手段と、この加算値Ｍと同期信号の周期の分母値Ａとを比較し、この比較結果に基づいてＭ／Ａを求め、このＭ／Ａに対し時刻発生に必要な最小桁を乗算し、この乗算結果を時刻信号として出力する時刻信号出力手段とを備えるようにしたものである。
【０００８】
この構成によれば、同期信号の周期Ｂ／Ａを分子及び分母に分け、それぞれ整数でクローズした領域で数値を取り扱うようにしたので、小数時の丸め誤差及び加算による誤差蓄積を排除することができ、これにより秒パルスの入力を不要とすることができ、その分親時計との間を接続するケーブルを減らしてシステムの配線構造を簡素化することができ、さらに処理負担の軽減を図ることができる。
【０００９】
時刻信号出力手段は、比較結果からＭがＡより小さい場合に、Ｍ／Ａを求めることを特徴とする。  
この構成によれば、Ｍ／Ａが分数であることが確かなので、そのまま時刻信号の出力処理を行なうことができる。
【００１０】
時刻信号出力手段は、比較結果からＭがＡ以上の場合に、ＭからＡを減算することで整数の桁上がり処理を行なうインクリメント処理手段を備え、このインクリメント処理手段による処理が終了した後に、比較結果からＭがＡより小さい場合に、Ｍ／Ａを求めることを特徴とする。  
この構成によれば、分子≧分母が成り立つ場合に、常に真分数となるように整数の桁上がり（秒インクリメント）処理が行なわれるので、高精度な時刻信号を出力できる確率を高めることができる。
【００１１】
この発明に係る時刻演算装置は、番組編成時刻に基づき、デジタル放送番組の映像信号を処理するデジタル放送番組処理装置に用いられ、このデジタル放送番組処理装置の映像処理に供されることを特徴とする。  
この構成によれば、管理者の手操作による時刻補正を行なう必要がなく、半永久的に常に正確な時刻で映像処理を行なうことができる。また、ネット受信放送システムの遠隔局に用いられる場合に、親局の映像信号と自局の映像信号とを常に正確に同期させることが可能となる。
【発明の効果】
【００１２】
以上詳述したようにこの発明によれば、例えば映像信号を取り扱うシステムにあって、定期的に誤差補正するための情報を入力する必要がなく、容易にかつ高精度な時間を発生し得る時刻演算装置及び時刻演算方法を提供することができる。
【発明を実施するための最良の形態】
【００１３】
以下、この発明の実施形態について図面を参照して詳細に説明する。  
図１は、この発明に係る時刻演算装置の一実施形態が適用される局内システムの概略構成図である。  
このシステムは、同図に示すように、この発明の時刻演算装置となる時刻発生装置１１と、エンコーダ（ＥＮＣ）１２，１３と、マルチプレクサ（ＭＵＸ）１４と、符号化多重制御装置（ＥＭＣ）１５と、自動番組送出制御装置（ＡＰＣ）１６と、局内時計１７と、データサーバ（ＤＳ）１８と、映像同期発生器１９とを備えている。
【００１４】
エンコーダ１２は、デジタル放送番組の映像信号をＭＰＥＧ２符号化方式で圧縮符号化してトランスポートストリーム（ＴＳ）を生成し、マルチプレクサ１４に出力する。エンコーダ１３は、デジタル放送番組の音声信号をＡＡＣ（Advanced Audio Coding）符号化方式で圧縮符号化してＴＳを生成し、マルチプレクサ１４に出力する。
【００１５】
マルチプレクサ１４は、各エンコーダ１２，１３の出力を多重化し、送出用のＴＳとして送出する。また、符号化多重制御装置１５から出力される情報に基づき、ＰＭＴ（Program Map Table）、ＰＡＴ（Program Association Table）等のデータを生成し、送出用のＴＳに多重する。
【００１６】
符号化多重制御装置１５は、自動番組送出制御装置１６から提供される指示情報、放送スケジュールデータ及び時刻発生装置１１で求められる時刻に基づいてエンコーダ１２，１３及びマルチプレクサ１４を制御する。
自動番組送出制御装置１６は、データサーバ１８から提供される放送スケジュールデータ及び時刻発生装置１１で求められる時刻に従って、符号化多重制御装置１５に対し指示情報を送出して符号化多重制御装置１５の符号化多重処理を制御するようにしている。  
映像同期発生器１９は、映像のフレーム同期信号（６０／１．００１Ｈｚ）を発生する。
【００１７】
図２は、上記時刻発生装置１１の機能ブロック図である。  
すなわち、時刻発生装置１１は、この発明に係わる機能として、初期時刻設定部１１１と、Ｍ値演算部１１２と、比較部１１３と、時刻出力処理部１１４と、秒インクリメント処理部１１５とを備えている。
【００１８】
初期時刻設定部１１１は、局内時計１７から出力される時刻設定信号に基づいて、初期時刻を設定する。Ｍ値演算部１１２は、映像同期発生器１９から出力される同期信号が入力されたときに、初期時刻に、同期信号のフレーム周期（１００１／６００００ｍＳ）の分子値１００１を加算して加算値Ｍを求める。
【００１９】
比較部１１３は、上記加算値Ｍと同期信号のフレーム周期（１００１／６００００ｍＳ）の分母値６００００とを比較する。時刻出力処理部１１４は、上記比較結果からＭが６００００より小さい場合に、Ｍ／６００００ｍＳを求め、このＭ／６００００ｍＳに対し時刻発生に必要な最小桁１０-cを乗算し、この乗算結果を時刻信号として出力する。  
秒インクリメント処理部１１５は、上記比較結果からＭが６００００以上の場合に、Ｍから６００００を減算することで整数の桁上がり処理を行なう。
【００２０】
次に、上記構成における処理動作について説明する。  
以前の計算機及び専用ハードウェア内部では同期信号の周波数５９．９４Ｈｚ、フレーム周期１６．６８３ｍＳのように、数値が有限長の小数で表現されている。この場合、理論上、近似計算及び有効桁以下の丸め誤差を蓄積する仕組みを含んでいる。このため、長時間に渡り正確な時刻を発生することは不可能であった。なお、誤差をより少なくするために、秒パルス（定期的に誤差補正する情報）を入力する方法もあるが、システムの複雑化を招いてしまうことになる。
【００２１】
そこで、本実施形態では、有限長の小数表現される数値を、全て分数として取り扱うようにしている。分数表現とすることにより、同期信号の周波数６００００／１００１Ｈｚ、フレーム周期１００１／６００００ｍＳと表すことができる。
図３は、初期時刻設定時の時刻発生装置１１の制御手順及び制御内容を示すフローチャートである。  
まず、局内時計１７から時刻設定信号を受信すると、時刻発生装置１１は時刻設定信号に基づいて、初期時刻の設定を行い（ステップＳＴ３ａ）、初期時刻Ｍを求める（ステップＳＴ３ｂ）。
【００２２】
同時に、時刻発生装置１１は、図４に示す制御処理も並行して実行する。  
まず、映像同期発生器１９からの同期信号が入力されると、時刻発生装置１１は上記初期時刻Ｍに同期信号のフレーム周期（１００１／６００００ｍＳ）の分子値１００１を加算して加算値Ｍを求める（ステップＳＴ４ａ）。続いて、時刻発生装置１１は、加算値Ｍと同期信号のフレーム周期（１００１／６００００ｍＳ）の分母値６００００とを比較し、Ｍが６００００より小さいか否かの判断を行なう（ステップＳＴ４ｂ）。そして、小さい場合に、時刻発生装置１１はＭ／６００００ｍＳを求め（ステップＳＴ４ｃ）、このＭ／６００００ｍＳに対し時刻発生に必要な最小桁１０-cを乗算し、この乗算結果を時刻信号として出力する（ステップＳＴ４ｄ）。
【００２３】
一方、上記ステップＳＴ４ｂにおいて、Ｍが６００００以上であると判断した場合に、時刻発生装置１１はＭから６００００を減算することで整数の桁上がり処理を行なう（ステップＳＴ４ｅ及びステップＳＴ４ｆ）。以後、上記ステップＳＴ４ｂにおいて、Ｍが６００００より小さくなるまで、時刻発生装置１１は上記ステップＳＴ４ｂ、ステップＳＴ４ｅ及びステップＳＴ４ｆの処理を繰り返し実行する。
【００２４】
以上のように上記実施形態では、時刻発生装置１１において、映像同期発生器１９から供給される映像同期信号のフレーム周期（１００１／６００００ｍＳ）を分子値１００１及び分母値６００００に分け、それぞれ整数でクローズした領域で局内時計１７からの時刻設定信号による初期時刻に分子値１００１を加算し、この加算値Ｍと分母値６００００とを比較することで、真分数であるか否かを判定し、真分数つまりＭが６００００より小さい場合に、Ｍ／６００００を求め、時刻発生に必要な最小桁を乗算した後に時刻出力するようにしている。
【００２５】
従って、小数時の丸め誤差及び加算による誤差蓄積を排除することができ、これにより秒パルスの入力を不要とすることができ、その分局内時計１７との間を接続するケーブルを減らしてシステムの配線構造を簡素化することができ、さらに時刻発生装置１１の処理負担を軽減できる。また、局内システムにおいて、管理者の手操作による時刻補正を行なう必要がなく、半永久的に常に正確な時刻で映像処理を行なうことができ、さらに、ネット受信放送システムの遠隔局に用いられる場合に、親局の映像信号と自局の映像信号とを常に正確に同期させることが可能となる。
【００２６】
また、上記実施形態では、時刻発生装置１１において、Ｍ≧分母値６００００が成り立つ場合に、常に真分数となるようにＭ−６００００を求めることで整数の桁上がり（秒インクリメント）処理が行なうようにしているので、高精度な時刻信号を出力できる確率を高めることができる。
【００２７】
なお、上記実施形態では、時刻発生装置１１を局内システムの映像信号を取り扱う場合に用いる例について説明したが、これ以外に、例えば時計により計時される時刻信号の周期と異なる周期の信号を取り扱うものについても適用できることはもちろんのことである。
その他、局内システムの構成や種類、時刻発生装置の機能構成、時刻演算の制御手順及びその内容等についても、この発明の要旨を逸脱しない範囲で種々変形して実施できる。
【図面の簡単な説明】
【００２８】
【図１】この発明に係る時刻演算装置の一実施形態が適用される局内システムの概略構成図。
【図２】同実施形態としての時刻発生装置の機能ブロック図。
【図３】同実施形態における初期時刻設定時の時刻発生装置の制御手順及び制御内容を示すフローチャート。
【図４】同実施形態における時刻演算時の時刻発生装置の制御手順及び制御内容を示すフローチャート。
【符号の説明】
【００２９】
１１…時刻発生装置、１２，１３…エンコーダ（ＥＮＣ）、１４…マルチプレクサ（ＭＵＸ）、１５…符号化多重制御装置（ＥＭＣ）、１６…自動番組送出制御装置（ＡＰＣ）、１８…データサーバ（ＤＳ）、１９…映像同期発生器、１１１…初期時刻設定部、１１２…Ｍ値演算部、１１３…比較部、１１４…時刻出力処理部、１１５…秒インクリメント処理部。
【図１】
2005274162.tif 000003
【図２】
2005274162.tif 000004
【図３】
2005274162.tif 000005
【図４】
2005274162.tif 000006